(57)【要約】ツールの長手方向寸法に対応する長手方向（Ｘ−Ｘ）、ツールの幅方向寸法に対応する横方向寸法（Ｙ−Ｙ）、及びツールの厚さに対応する垂直方向（Ｚ−Ｚ）に延在する、顔及び首の筋肉を緊張させるツールであって、複数の別個筐体（１１；１１１）を含む容器（１０；１１０）と、容器（１０；１１０）のそれぞれの筐体内に各々単独で収容される一連の重り（２０；１２０）と、を有するツールを提供する。【選択図】図５
2021522044.tif 000002
【特許請求の範囲】
【請求項１】
顔及び／又は首の表在筋を緊張させるツールであって、前記表在筋は前記ツールの長手方向寸法に対応する長手方向（Ｘ−Ｘ）、前記ツールの幅方向寸法に対応する横方向（Ｙ−Ｙ）、及び前記ツールの垂直厚さ方向にそれぞれ延在し、
前記ツールは、
・複数の別個筐体（１１；１１１）を含む容器（１０；１１０）と、
・前記容器（１０；１１０）のそれぞれの筐体内に各々単独で収容される一連の重り（２０；１２０）と、を備え、
前記重りを収容する各筐体の少なくとも１つの外面が、仰臥位で横たわる使用者の前記顔及び／又は首の特定の領域上に載るときに前記ツールの安定した位置決めを確実にするのに適した材料で作られる位置決め要素（５０）を有することを特徴とする、ツール。
【請求項２】
前記容器（１０）が、閉鎖底部（１１ａ）及び可逆的な閉鎖手段（３０）を講じる口部（１１ｂ）を有する袋（１１）形状の筐体を有することを特徴とする、請求項１に記載のツール。
【請求項３】
前記容器（１１０）が２つの半殻（１１０ａ、１１０ｂ）を備え、各半殻は、それぞれの重り（２０；１２０）の体積の一部を収容し、他方の半殻（１１０ａ、１１０ｂ）のそれぞれの凹部（１１１ａ、１１１ｂ）と結合すると前記容器（１１０）のそれぞれの筐体を形成するように構成される、凹部（１１１ａ、１１１ｂ）に細分化されることを特徴とする、請求項１に記載のツール。
【請求項４】
筐体（１１；１１１）の前記横方向（Ｙ−Ｙ）に平行に延在する側部（１１ｃ；１１１ｃ）が、隣接する筐体の横方向側部周りの相対回転の自由度を許容するよう構成されるヒンジ手段（４０；１４０）によって前記隣接する筐体の対応する側部に固定され、これらのヒンジ手段は好ましくは各筐体と前記長手方向において隣接する筐体との間に配置される、請求項１〜３のいずれか一項に記載のツール。
【請求項５】
前記容器（１０、１１０）の筐体の長手方向側部と前記横方向（Ｙ−Ｙ）において隣接する筐体の反対側の長手方向側部とを前記横方向（Ｙ−Ｙ）に接合するように構成される長手方向軸線（Ｘ−Ｘ）を有するヒンジ（２４０）を備え、前記長手方向軸線周りの前記隣接する筐体の相対回転自由度を可能にし、好ましくは前記ツールが各筐体と前記横方向において隣接する筐体との間に長手方向軸線を有するヒンジ（２４０）を備える、請求項１〜４のいずれか一項に記載のツール。
【請求項６】
前記容器が織物材料で作られ、袋の閉鎖手段（３０）及び／若しくは前記筐体のヒンジ手段（４０）が可逆的な固定／閉鎖を確実にするように構成されるステッチ、ジップファスナー又はＶｅｌｃｒｏ（登録商標）ストリップ又はフックの形状であることを特徴とする、請求項２又は４又は５に記載のツール。
【請求項７】
前記容器（１１０）がプラスチック又はゴム材料で、好ましくはシリコーン材料で作られていることを特徴とする、請求項１〜５のいずれか一項に記載のツール。
【請求項８】
前記筐体の閉鎖手段（３０）及び／又はヒンジ手段（４０；１４０；２４０）が、超音波溶接、接着等の手段によって形成され、安定し変更不可能な固定／閉鎖を製造可能である、請求項１〜７のいずれか一項に記載のツール。
【請求項９】
前記重り（２０；１２０）が、円柱形、平行六面体、卵形又は類似の形状を有することを特徴とする、請求項１〜８のいずれか一項に記載のツール。
【請求項１０】
安定した位置決め要素（５０）が、接着剤材料で作られ、又は前記ツールが載っている前記使用者の前記顔及び／又は首の前記領域若しくは区域に十分な把持を確保するような摩擦係数を有する材料を含み、好ましくは前記位置決め要素が前記容器（１１０）の外面のプラスチック又はゴム材料によって形成される、請求項１〜９のいずれか一項に記載のツール。
【請求項１１】
前記重り（２０；１２０）は少なくとも部分的に内部が中空であることを特徴とする、請求項１〜１０のいずれか一項に記載のツール。
【請求項１２】
前記重り（２０；１２０）のうち１つ以上が、
・前記横方向に細長い一様な円柱形及び／又は、
・横方向寸法（Ｙ−Ｙ）に実質的に対応する長手方向寸法（Ｘ−Ｘ）を有する一様な円柱形及び／又は、
・前記横方向（Ｙ−Ｙ）に細長い一様な平行六面体及び／又は
・前記長手方向寸法に実質的に対応する横方向寸法を有する一様な平行平面体
の形状のうち１つを有することを特徴とする、請求項７に記載のツール。
【請求項１３】
前記重りが前記横方向（Ｙ−Ｙ）において様々な長さを有し、及び／又は前記重り（２０；１２０）が様々なグラム重量を有することを特徴とする、請求項１〜１２のいずれか一項に記載のツール。
【請求項１４】
前記重りが前記容器内に対称的に配置され、又は前記重りが他の全ての重りよりも軽量の端部重り（２１）と、前記端部重りよりもグラム重量の大きい中間重り（２２）と、前記他の全ての重りよりもグラム重量の大きい中央重り（２３）とで配置されていることを特徴とする、請求項１〜１３のいずれか一項に記載のツール。
【請求項１５】
前記ツールが「Ｌ」字形状を有することを特徴とする、請求項１〜１４のいずれか一項に記載のツール。
【請求項１６】
前記ツールが中空長方形（３１０）形状を有することを特徴とする、請求項１〜１５のいずれか一項に記載のツール。
【請求項１７】
請求項１〜１６の１つに記載のツールを少なくとも２つ含むことを特徴とする、請求項１に記載の前記顔及び首の筋肉を緊張させるツールキット（４００）。
【請求項１８】
・前記横方向（Ｙ−Ｙ）に細長い一様な円柱形又は平行六面体の形状を有する重りを有する第１のツール、及び／又は
・前記横方向（Ｙ−Ｙ）に様々な長さを有する円柱形又は平行六面体の形状を有する重りを有する第２のツール、及び／又は
・請求項１６に記載の第３のツール、及び／又は
・請求項１５に記載の第４のツール、
を少なくとも備える、請求項１７に記載のツールキット。
【請求項１９】
請求項１〜１２のいずれか一項に記載の１つ以上のツールを用いる前記顔及び／又は首の美容治療方法であって、
ａ）前記使用者の身体を仰臥位にする位置決めステップと、
ｂ）前記顔／首の特定の区域に前記ツールの少なくとも１つを装着する装着ステップと、
ｃ）前記ツールを装着した前記顔及び／又は首の異なる部分に対して１つ以上の運動を行い、対応する表在筋に作用させる運動実行ステップと、
を含むことを特徴とする、方法。
【請求項２０】
前記装着ステップｂ）が前記顔又は首の特定の部分に特定のツールを装着するステップを含み、前記ツールが、
・前記使用者の前記首に装着される一様な長さの重りを有する帯状ツール及び／又は
・前記使用者の額に装着するより長い中央重りを有する帯状ツール及び／又は
・前記使用者の頬に装着するＬ字形状ツール及び／又は
・前記使用者の口周りに装着される中空長方形形状を有する帯状ツール
を含む、請求項１９に記載の方法。
【請求項２１】
前記ステップｃ）が、
・額／まぶたに対する、
１．「イライラしている、又は怒っている」という様子を真似し、前記額と眉をひそめてしかめ面をし、
２．眉を上げて目を大きく開く運動、
・頬骨／まぶたに対する、
１．前記口を大きく開いて「Ｏ」の形にし、直後に非常に広い「Ａ」の形にし、
２．口角を「微笑む」ように持ち上げ、唇をしっかり閉じたまま、前記目を細め、
３．１と２とを前記顔の両側で繰り返す運動
・口に対する、
キスをするように前記唇をすぼめて突き出す運動、
・首に対する、
頭部を静止させて前記口角を下向きにする運動、
のうち１つ以上を含むことを特徴とする、請求項２０に記載の方法。
【請求項２２】
請求項１〜１７のいずれか一項に記載のツールを前記顔の美容治療に使用する方法。
【発明の詳細な説明】
【技術分野】
【０００１】
本発明は、顔及び首の表在筋を緊張させる少なくとも１つのツール、並びに前記少なくとも１つのツールを用いた顔及び／又は首の美容治療方法に関する。
【背景技術】
【０００２】
加齢によって人体の筋肉が弛緩し、特定の場合には、顔の筋肉のしわ、袋の形成、眼瞼皮膚弛緩症等をもたらすことが知られている。
【０００３】
美容顔治療の技術分野では、顔の表情筋を一時的に抑制し、表情ジワの形成を減少させるように構成された物質を使用することも知られている。
【０００４】
これらの物質は皮下注射のような侵襲的手法によって投与され、専門家、有資格者及び任命担当者による処置を必要とする。
【０００５】
上記の投与に伴うリスクに加えて、これらの製品は経時的に限定された効果しか有さず、複数回の投与が必要であるため、アレルギー反応を引き起こすおそれがある。
【０００６】
上記に加えて、例えば特許文献１及び２に記載されているような顔筋を緊張させるツールも知られており、各特許文献は様々な頭部及び顔の構造で装着できるように弾性的に変形可能であり、ストラップを保持することによって使用者の頭部に対して保持される布製マスクを例示する。既知のマスクは顔の特定の領域に特異的かつ選択的に装着することができず、したがって単一の筋肉に対して的確に装着できないという点で実質的な欠陥を有する。さらに既知のマスクは顔の一部の筋肉の膨張運動に抵抗して作用し、顔及び首の深部筋肉並びに関節によるより大きな力を必要とする。このマスクは、使用者が起立して着用使用する。
【０００７】
特許文献３には使用者の額に装着するバンドが記載されており、使用者の頭部上下回転運動中に首に作用する重量を増加させ、首の深部筋肉を強化する。
【０００８】
特許文献４には身体の任意の部分に固定されるように構成され、様々なグラム重量との組合せ手段を設けるＶｅｌｃｒｏ（登録商標）又は類似のタイプの保持固定手段を設けるバンドが記載されている。
【先行技術文献】
【特許文献】
【０００９】
【特許文献１】米国特許第４，１８９，１４１号明細書
【特許文献２】米国特許第２，８８２，８９２号明細書
【特許文献３】米国特許第４，１９５，８３３号明細書
【特許文献４】米国特許第４，６３２，３８９号明細書
【発明の概要】
【発明が解決しようとする課題】
【００１０】
したがって提起される技術的課題は、人工製品の投与及び／又は外科手術を必要とせず長期にわたって効果が持続する、しわ、袋の形成、眼瞼皮膚弛緩症等を防止するような顔及び／又は首の筋肉に緊張効果を生じさせることが可能な器具を開発することである。
【００１１】
この課題に関連して、これらの器具は小型で製造及び組み立てが容易で安価であり、専門家でない使用者を含む任意の使用者によって、及び美容センター、ジム等の構造物内で自律的に使用しやすいことも要求される。
【課題を解決するための手段】
【００１２】
これらの結果は本発明によれば、請求項１の特徴的構成による顔及び首の筋肉を緊張させるツールによって、及び請求項１８の特徴的構成による本発明の１つ以上のツールを用いた顔及び／又は首の美容治療方法によって達成される。
【００１３】
本出願人は驚くべきことに、仰臥位で横たわっている使用者の顔又は首上にツールが置かれているときに当該区域上の安定した位置決め要素の把持作用のみを利用するこれらの特徴的構成を有するツールが、顔及び／又は首上の当該区域の表在筋系を刺激し、深部筋肉及び関節又は刺激がいかなる有益な美的効果をもたらさない筋肉に力を加えることなく、表在筋に真皮を支持可能にさせ、緊張化、引き締め及びリフトアップ効果を生じさせ、結果として表皮が徐々に弛緩し、加齢の兆候を目に見える形で減少させることを発見した。
【００１４】
本発明はさらに、請求項１６の特徴的構成によるツールキットに関する。
【図面の簡単な説明】
【００１５】
【図１】本発明によるツールの重り用容器の第１の例示的な実施形態の正面図である。
【図２】図１による容器の平面図である。
【図３】図１による容器用重りの第１の例示的な実施形態の斜視図である。
【図４】組立ツールの斜視図である。
【図５】図４の平面Ｖ−Ｖに沿った断面図である。
【図６】本発明によるツールの第２の実施形態の分解斜視図である。
【図７】組立状態の図６によるツールの斜視図である。
【図８】図７の平面ＶＩＩＩ−ＶＩＩＩに沿った概略断面図である。
【図９】特に使用者の首に装着するよう構成される、本発明によるツールのさらなる実施形態の概略図である。
【図１０】特に使用者の首に装着するよう構成される、本発明によるツールのさらなる実施形態の概略図である。
【図１１】特に使用者の首に装着するよう構成される、本発明によるツールのさらなる実施形態の概略図である。
【図１２】特に使用者の額に装着するよう構成される、本発明によるツールのさらなる実施形態の概略図である。
【図１３】特に使用者の額に装着するよう構成される、本発明によるツールのさらなる実施形態の概略図である。
【図１４】特に使用者の額に装着するよう構成される、本発明によるツールのさらなる実施形態の概略図である。
【図１５】特に使用者の額に装着するよう構成される、本発明によるツールのさらなる実施形態の概略図である。
【図１６】特に使用者の頬に装着するよう構成される、本発明によるツールのさらなる実施形態の斜視図である。
【図１７】特に使用者の口に装着するよう構成される、本発明によるツールのさらなる実施形態の斜視図である。
【図１８】ツールによって生成され、使用者の顔の様々な表面に作用する力線の概略グラフである。
【図１９】ツールによって生成され、使用者の顔の様々な表面に作用する力線の概略グラフである。
【図２０】使用者の首／顔の様々な対応する区域に装着される様々なツールの装着図である。
【図２１】使用者の首／顔の様々な対応する区域に装着される様々なツールの装着図である。
【図２２】使用者の首／顔の様々な対応する区域に装着される様々なツールの装着図である。
【図２３】使用者の首／顔の様々な対応する区域に装着される様々なツールの装着図である。
【図２４】本発明によるツールを備えるキットの斜視図である。
【図２５】二重の回転自由度を有する本発明によるツールの詳細を上方から見た斜視図である。
【図２６】互いに直交するヒンジ周りで曲げられた、本発明によるツールの斜視図である。
【図２７】互いに直交するヒンジ周りで曲げられた、本発明によるツールの斜視図である。
【図２８】本発明によるツール用の部分的に中空の重りの斜視図である。
【図２９】本発明によるツール用重りのさらなる例示的な実施形態の斜視図である。
【図３０】本発明によるツール用重りのさらなる例示的な実施形態の斜視図である。
【図３１】本発明によるツール用重りのさらなる例示的な実施形態の斜視図である。
【図３２】本発明の方法による運動を行う前の人の額の図である。
【図３３】本発明の方法による運動を行った後の人の額の図である。
【発明を実施するための形態】
【００１６】
さらなる詳細は、添付の図面を参照して提供する本発明の主題の非限定的な実施形態の例の以下の説明から得ることができる。
【００１７】
説明を容易にするために、また限定的な意味を持たないように、３つの基準軸線のセットを仮定する。すなわち、ツールの長手方向寸法に対応する長手方向Ｘ−Ｘ、ツールの幅方向寸法に対応する横方向Ｙ−Ｙ、及び他の２つの方向に直交し、ツールの厚さ寸法ならびに図に慣習的に示される前部分Ａ及び後部分Ｐに対応する上下方向Ｚ−Ｚ、である。
【００１８】
これらの定義に基づいて、顔及び／又は首の筋肉を緊張させる本発明によるツールの好ましい例は、本質的に以下を備える。
・複数の別個筐体を備える容器１０。
・容器１０の各筐体内に単独で収容される一連の重り２０。
【００１９】
第１の実施形態では、容器１０は、閉鎖底部１１ａと、可逆的な閉鎖手段３０を講じる口部１１ｂとを有する袋１１形状の筐体を有する。
【００２０】
各袋１１の横方向Ｙ−Ｙに平行に延在する側部１１ｃは、前記横方向側部周りの回転自由度を許容するように構成されるヒンジ手段４０によって、隣接する袋の対応する側部に固定されている。
【００２１】
ツールの好ましい実施形態によれば、重り２０は様々なグラム重量で作られ、使用時に対応する筋肉に様々な作用を生じさせる。
【００２２】
例えば、図３に示すように、より軽量な端部重り２１と、端部重りよりもグラム重量の大きい中間重り２２と、他の全ての重りよりもグラム重量の大きい中央重り２３と、を有する対称的な実施形態を想定する。
【００２３】
以下でより明確に明らかになるように、必要に応じていずれの場合にも重りとその配置を組み合わせることが可能である。
【００２４】
図１〜３に示される実施形態のツールを組み立てるために、重り２０を開口部１１ａから対応する袋１１の内側に挿入し、その後袋を閉鎖手段４０によって閉鎖する。。
【００２５】
図４及び図５に示すように、使用可能な組立ツールは長手方向Ｘ−Ｘに細長いストリップ形状であり、互いにヒンジ結合され、各々がその内側に関連する重りを有する複数のポケット１１を備える。
【００２６】
図６は本発明によるツールのさらなる実施形態を示し、容器１１０が２つの半殻１１０ａ、１１０ｂを備え、各々は、それが収容されなければならないそれぞれの重り１２０の体積の半分の割合又はそろった異なる割合に対応する体積を有する凹部１１１ａ、１１１ｂに分割されている。
【００２７】
各凹部１１１ａ、１１１ｂの横方向Ｙ−Ｙに平行に延在する側部１１１ｃは、前記共通の横方向側部周りのシートの相対回転自由度を許容するように構成されるヒンジ手段１４０によって、隣接する凹部の対応する側部に固定されている。
【００２８】
図６に示す実施形態では、前記ヒンジ手段１４０が薄いストリップ１４１を備えており、その材料の柔軟性により、必要な相対回転自由度を確保している。
【００２９】
前記ストリップ１４１は、連続及び／又は不連続であってもよい。
【００３０】
ツールの組立については、重り１２０を半殻のそれぞれの凹部の内側に挿入し、半殻を他の半殻上に置き、容器に使用する材料のタイプに適した技術を用いて半殻を共に固定してツールを閉鎖する。
【００３１】
袋の実施形態１１及び半殻の実施形態１１１の両方において、容器１０、１１０を以下によって作ることができると想定する。
・袋閉鎖手段３０及びヒンジ手段４０の両方を、安全であるが可逆的な閉鎖を確実にすることができるステッチ、ジップファスナー又はＶｅｌｃｒｏ（登録商標）ストリップによって実現し得る織物材料。又は代替的に、
・袋閉鎖手段３０及びヒンジ手段４０の両方を超音波溶接、接着、フック等によって実現することができ、この場合は特にぴったりの形状が必要とされる用途に適した変更不可能の安定した構成をもたらすプラスチック又はゴム材料、特にシリコーン材料。
【００３２】
様々なタイプのケースを製造可能であるということは、アレルギーを有する使用者に代替物を提供できることも出来ることを意味する。
【００３３】
図示されているように、重りは以下の形状をとることができると想定する。
・横方向に細長い一様な円柱形（図３、９）。及び／又は
・長手方向寸法に実質的に対応する長手方向寸法を有する一様な円柱形（図１０）。及び／又は、
・横方向に細長い一様な平行六面体（図６、７）。及び／又は、
・長手方向寸法に実質的に対応する横方向寸法を有する一様な平行六面体（図１１）。
【００３４】
長手方向寸法に実質的に対応する横方向寸法を有する２つの実施形態は、ツールが作用する凹面又は凸面がどのようなものであっても下の筋肉１と接触する重量の分配を確実に改善する必要がある場合に好ましい（図１８、１９）。
【００３５】
本発明の好ましい実施形態によれば、特に（図２５）長手方向寸法及び横方向寸法が実質的に一致する重り形状では、容器１０、１１０の少なくとも１つの筐体の長手方向側部及び隣接する筐体の反対側の長手方向側部を横方向Ｙ−Ｙに共に接合するように構成される長手方向軸線Ｘ−Ｘを有するさらなるヒンジ２４０と、好ましくは横方向に隣接する各筐体の各対間のヒンジと、を設けることも想定する。したがってこれらの構成では、ツールが横方向軸線Ｙ−Ｙを有するヒンジ１４０と、長手方向軸線Ｘ−Ｘを有するヒンジ２４０とを有し、第２の回転自由度を可能にし、特に、下の筋肉上での正確な位置決めを確実にするためにツールを下の実質的に球形の形状に適合させる必要があり、ツールを様々な延長線に沿って変形させなければならない領域（図２６、２７）に有用である。
【００３６】
さらなる実施形態（図１２〜１５）によれば、重りが円柱形、平行六面体、卵形又は類似の形状を有するか否かにかかわらず、中央重り１２３がツールの他の重りに対して前部分Ａに向かって突出し、側部重りの対応する長さよりも横方向に長いことを想定する。
【００３７】
本発明によるツール２１０のさらなる実施形態によれば、前記ツールは、鼻に沿って通る横方向軸線Ｙ?Ｙに平行な軸線に対して対称である右側要素２１０Ｄ又は左側要素２１０Ｓとして装着使用可能な、倒立Ｌ字（図１６）として形成し得ることを想定する。
【００３８】
上記に加えて、重りはそれらの外形とは無関係に、少なくとも部分的に内部が中空であってもよく、したがって筋肉との適切な接触表面、及び特定の用途／人に対する重量の正確な規定の両方を確保することも想定する（図２８）。
【００３９】
図１２、図１３及び図１５に示すように、重りを収容するポケット／袋の少なくとも１つの外面が要素５０を有することも想定され、要素５０は取り組み区域内に置かれたときにツールの安定した位置決めを確実にするのに適した材料で作られている。
【００４０】
前記安定した位置決め要素５０は、例えばストリップ形状、タグ形状、又は使用者の特定の領域に装着するのに適した他の形状の接着剤材料で作ることができる。
【００４１】
好ましくはこれらの位置決め要素は、使用者の顔及び／又は首の領域又は区域にそれらが単に載っているだけで十分な把持を確保するような摩擦係数を有する材料を含む。好ましくはこの位置決め要素は、前記容器１１０の外面と同じプラスチック又はゴム状材料で作られる。
【００４２】
本発明による重りを有するツールは、実際には、従来技術のマスク又は他の運動器具の場合に通常生じる、それらを装着又は保持可能にする手段を必要としない。
【００４３】
本発明による重り付きツールはツールを使用者に固定するベルト又はストラップのような（能動的又は受動的な）保持手段がないことを特徴とするが、仰臥位で横たわっている使用者の顔又は首にツールを置いたときに、当該区域上の安定した位置決め要素の把持作用（及び重力）のみを利用して作用する。
【００４４】
これにより、以下を含む多くの利点が生じる。
・ツールが当該顔又は首の区域の筋肉系によってのみ直接動かされる自由重り系を形成する。
・容器の位置決め要素の把持力及び重力のみが使用され、ツールは、特定の装着領域／装着区域に重量力を集中可能にする。
【００４５】
このようにして、筋肉系特に主動筋のみを刺激する（保持手段で固定した重りを使用する場合のように、関節系も拮抗筋も刺激しない）。さらに、このツールは（咬筋のような）深部筋肉を刺激せず、当該顔及び／又は首区域の表在筋のみを刺激する。
【００４６】
隣接する２つ以上の筐体間にヒンジがあることで、重りは位置決め要素の把持作用の助けを借りて仰臥位の使用者の顔又は首に常にしっかりと押し付けられたままで、様々な程度の動きを可能にする容器内に収容されるため、ツールはその表在筋が運動する特定の顔又は首区域により容易に適合することができる。
【００４７】
重りの最終重量及び重りの好ましい形状、並びにツールが組立後に有するべき総重量に応じて、様々な特定の重りの材料を使用して重りを作ることができると想定する。
【００４８】
本発明によれば、ツールの様々な好ましい実施形態は、特定の用途のために機能的に構成されることを想定する。特に以下のようなものがある。
・一様な長さの重りを有するストリップ（図４、７）は、使用者の首への装着に特に適している（図２０）。
・中央重りがより長いストリップ（図１２〜１５）は、使用者の額への装着に特に有用である（図２１）。
・Ｌ字形状ツール（図１６）は、使用者の頬への装着に特に適している（図２２）。
・中空長方形３１０（図１７）形状のストリップは、使用者の口周りへの装着に特に適している（図２３）。
【００４９】
各ツールはまた、例えば図２９〜３１に示されるように、様々な形状及び重量を有する筐体及び重りを備えてもよい。また、対応する下の筋肉に対するより効果的な作用のために前記重りを適切に組み合わせてもよい。
【００５０】
本発明はさらに、顔及び首の筋肉を緊張させるキット４００に関するものであり、このキットは以下の少なくとも２つ、好ましくは全てを備える。
・一様な長さの重りを有する第１の帯状ツール。
・より長い中央重りを有する第２の帯状ツール。
・第３のＬ字形状ツール。
・中空長方形３１０形状の第４のツール。
【００５１】
キットは図２４に例として示されており、収納ボックスを有し、その裏地は正しい包装のための単一ツールの形状を再現する。しかし、任意の他の適切な形状を用いてツールを包装することも可能である。
【００５２】
特定の構成される首及び／又は顔の対応する領域にツールを装着することは、特定の下の筋肉の緊張を改善し、魅力のない皮膚袋、眼瞼組織のたるみの形成及び／又は眼瞼皮膚弛緩症を防止するように構成される運動を行うための準備ステップである。
【００５３】
本発明によるツールを使用する美容方法は、これらのうち１つ以上の運動によって真皮を支持する筋肉を緊張させることができ、結果として加齢の兆候を目に見える形で減少させる。重量負荷を上げることにより、表層筋（筋原線維）の収縮成分は体積を増加させるだけでなく、筋原線維の数及び筋原線維補充能力（「共収縮」として知られる）も増加させる。これにより筋肉に真皮を支持可能にさせ、緊張化、引き締め、リフトアップの美的効果を生じさせ、結果として表皮が徐々に弛緩し、加齢の徴候を目に見える形で減少させる。
【００５４】
したがって本発明はまた、ツールを装着する様々な部分に対して上述の専用ツールを使用する特定の技術を想定し、これらの技術は、以下のステップを含む本発明による美容治療方法の一部を形成する。
ａ）身体を仰臥位に配置するステップ、
ｂ）顔／首の対応する特定の区域に特別に構成される特定のツール、特に、
・使用者の首周りに一様な長さの重りを有するストリップ、
・使用者の額の上により長い中央重りを有するストリップ、
・使用者の頬にＬ字形状のツール、
・使用者の口周りに中空長方形形状として形成されるストリップ、
を装着するステップ、
ｃ）顔と首の様々な部分に対して対応する筋肉にストレスを与えるように構成される１つ以上の特定の運動を行うステップ。
【００５５】
そのような運動の好ましい例は、以下の額／まぶた、頬骨／まぶた、口及び首の運動を含むことができる。
【００５６】
・額／まぶた
上まぶたのたるみを防止し、及び／又は顔上部の弾力を回復し、及び／又はしわの形成を防止するには以下の運動が特に好ましい。
１．「イライラしている、又は怒っている」という様子を真似し、額と眉をひそめてしかめ面をする。
２．眉を上げて目を大きく開く。
【００５７】
・頬骨／まぶた
頬骨の輪郭及び高さを改善し、及び／又は顔の外形を改善するには、以下の運動が特に好ましい。
１．口を大きく開いて「Ｏ」の形にし、直後に非常に広い「Ａ」の形にする。
２．口角を「微笑む」ように持ち上げ、唇をしっかり閉じたまま、目を細める。
３．これを顔の両側で繰り返し、いわゆる「カラスの足跡」にする。
【００５８】
・口
しわ（いわゆる「バーコード」）の予防又は軽減には、以下の運動が特に好ましい。
キスをするように唇をすぼめて突き出す。
【００５９】
・首
首周りの皮膚の緩み及び／又は二重顎の形成を防止するには、以下の運動が特に好ましい。
頭部を静止させて口角を下向きにする。
【００６０】
好ましくは、この方法は運動を実行する以下の規則を含む。
ｄ）以下の手順で特定の運動を繰り返す。
【００６１】
＜１−２−３ヵ月目＞
【００６２】
１＋２＋３＋４週目−等張性運動
手順Ｃ１：
１＋３＋５日目：単一領域の取り組み（１つの動きにつき３０回繰り返す）
・１日目＝額及びまぶた
・３日目＝頬骨及びカラスの足跡
・５日目＝唇及び首
２＋４＋６日目：顔全体の取り組み（１つの動きにつき１０回繰り返す）
・２日目＝額、頬骨、唇、首の順に単一運動を実行する
・４日目＝繰り返し
・６日目＝繰り返し
７日目＝休息
【００６３】
５＋６＋７＋８週目−等尺性運動
繰り返し手順Ｃ１：
１＋３＋５日目：単一領域の取り組み（動きを１０秒間保持−１０回繰り返す。回復時間：５秒間）
・１日目＝額及びまぶた
・３日目＝頬骨及びカラスの足跡
・５日目＝唇及び首
２＋４＋６日目：顔全体の取り組み（動きを１０秒間保持−５回繰り返す。回復時間：５秒間）
・２日目＝額、頬骨、唇、首の順に単一運動を実行する
・４日目＝繰り返し
・６日目＝繰り返し
７日目＝休息
【００６４】
９週目−エクセントリック等張性運動
繰り返し手順Ｃ１：
１＋３＋５日目：単一領域の取り組み（動きを３０回繰り返す）
・１日目＝額及びまぶた
・３日目＝頬骨及びカラスの足跡
・５日目＝唇及び首
２＋４＋６日目：顔全体の取り組み（動きを１０回繰り返す）
・２日目＝額、頬骨、唇、首の順に単一の運動を実行する
・４日目＝繰り返し
・６日目＝繰り返し
７日目＝休息
【００６５】
１０週目−パルストレーニング
繰り返し手順Ｃ１：
１＋３＋５日目：単一領域の取り組み（３０秒ごとに１５回の動きを３回繰り返す）
・１日目＝額及びまぶた
・３日目＝頬骨及びカラスの足跡
・５日目＝唇及び首
２＋４＋６日目：顔全体の取り組み（動きを１５回繰り返す）
・２日目＝額、頬骨、唇、首の順に単一運動を実行する
・４日目＝繰り返し
・６日目＝繰り返し
７日目＝休息
【００６６】
１１週目−インターバルトレーニング
繰り返し手順Ｃ１：
１＋３＋５日目：単一領域の取り組み（１０秒間の動きを１０回行う。回復時間：５秒間）
・１日目＝額及びまぶた
・３日目＝頬骨及びカラスの足
・５日目＝唇及び首
２＋４＋６日目：顔全体の取り組み（１０秒間の動きを５回行う。回復時間：５秒間）
・２日目＝額、頬骨、唇、首の順に単一運動を実行する
・４日目＝繰り返し
・６日目＝繰り返し
７日目＝休息
【００６７】
１２週目−最大の繰り返し回数
Ｃ１を単一領域で取り組む（各動きに対して最大の繰り返し回数、すなわち可能な限り多くの回数を行い、結果をメモする）
１＋２＋３＋４＋５＋６日目
・１日目＝額（運動１）
・２日目＝額（運動２）
・３日目＝右頬骨
・４日目＝左頬骨
・５日目＝口（キスの動き）
・６日目＝首
７日目＝休息
【００６８】
＜４ヵ月目＞
−重量増加
【００６９】
１週目（準備運動＋等張性トレーニング）
１＋３＋５日目：単一領域の取り組み
（旧重りを使用して１０回の動きを３回繰り返す。回復時間：５秒。新重りを使用して動きを１５回繰り返す）
・１日目＝額及び瞼まぶた
・３日目＝頬骨及びカラスの足跡
・５日目＝唇及び首
２＋４＋６日目：顔全体の取り組み
（旧重りを使用して動きを１５回繰り返す。新重りを使用して動きを１５回繰り返す）
・２日目＝額、頬骨、唇、首の順に単一運動を実行する
・４日目＝繰り返し
・６日目＝繰り返し
７日目＝休息
【００７０】
２週目（準備運動＋等尺性トレーニング）
１＋３＋５日目：単一領域の取り組み
（旧重りを使用して動きを１０秒間保持−５回繰り返す。回復時間：５秒間。新重りを使用して動きを５秒保持−１０回繰り返す。回復時間：５秒間）
・１日目＝額及まぶた
・３日目＝頬骨及びカラスの足跡
・５日目＝唇及び首
２＋４＋６日目：顔全体の取り組み
（旧重りを使用して動きを５秒間保持−５回繰り返す。回復時間：５秒間。新重りを使用して動きを５秒間保持−５回繰り返す。回復時間：５秒間）
・２日目＝額、頬骨、唇、首の順に単一運動を実行する
・４日目＝繰り返し
・６日目＝繰り返し
７日目＝休息
【００７１】
３週目（インターバルトレーニング）
１＋３＋５日目：単一領域の取り組み
（旧重りを使用して５秒間の活動を１０回繰り返す。回復時間：５秒間。新重りを使用して５秒間の活動を１０回繰り返す。回復時間：５秒間）
・１日目＝額及びまぶた
・３日目＝頬骨及びカラスの足跡
・５日目＝唇及び首
２＋４＋６日目：顔全体の取り組み
（旧重りを使用して５秒間の活動を５回繰り返す。回復時間：５秒間。新重りを使用して５秒間の活動を５回繰り返す。回復時間：５秒間）
・２日目＝額、頬骨、唇、首の順に単一運動を実行する
・４日目＝繰り返し
・６日目＝繰り返し
７日目＝休息
【００７２】
４週目
Ｃ１を単一領域で取り組む。
各動きに対して最大の繰り返し回数、すなわち可能な限り多くの回数を行い、結果をメモする（旧重りに関しては１２週目で得られたものからの向上を確認する）
１＋２＋３＋４＋５＋６日目
・１日目＝額（運動１）＋額（運動２）：旧重り
・２日目＝右側頬骨＋左側頬骨：旧重り
・３日目＝口＋首：旧重り
・４日目＝額（運動１）＋額（運動２）：新重り
・５日目＝右側頬骨＋左側頬骨：新重り
・６日目＝口＋首：新重り
７日目＝休息
【００７３】
方法全体を完全に実行するために、以下のことも想定する。
・「１−２−３ヵ月目」サイクルは、新重りを装着／使用するたびに繰り返す。
・「４ヵ月目」サイクルは、１つの重りからより重い／新重りに変更するたびに実行する。
・「維持」サイクル（以下でさらに説明する）は、好ましくは最終重りに達したときにのみ実行する。
【００７４】
顔の特定の領域を対象とした運動を行う前（図３２）及び後（図３３）の人の額を示す添付の図面３２及び３３に図示されるように、本発明による方法を実行する試験によりその有効性を実証した。
【００７５】
詳細には、３５〜５０歳までの多数の人が、１、２及び３ヵ月間の様々な段階を経て、３ヵ月のトレーニングサイクルを受けた。
【００７６】
１＋２＋３＋４週目−等張性運動
順序Ｃ１
５＋６＋７＋８週目−等尺性運動
繰り返し順序Ｃ１
９週目−エクセントリック等張性運動
繰り返し順序Ｃ１
１０週目−パルストレーニング
繰り返し順序Ｃ１
１１週目−インターバルトレーニング
繰り返し順序Ｃ１
１２週目−最大の繰り返し回数
【００７７】
ここで完全に参照される上記段落を参照されたい。
【００７８】
結果は、初期状態（図３２に示す）から最終状態（図３３に示す）にかけて、額のしわが大幅に減少していることを明確に見ることができる。
【００７９】
さらなる好ましい態様によれば、本発明による美容方法のステップｃ）は、顔及び／又は首の表在筋の緊張性を維持する１つ以上の運動を含むか、又はそれによって形成してもよい。そのような運動の好ましいサイクルを以下に詳細に説明する。
【００８０】
＜維持＞
１ヶ月目
準備運動４００ｇ、取り組み６００ｇ
【００８１】
１週目
等張性運動
準備運動を２０回繰り返す（４００ｇ）
３×２０回繰り返す（６００ｇ）、回復時間１０秒間
・単一領域の取り組み：
１日目：額
３日目：頬骨
５日目：唇及び首
・顔全体の取り組み：２日目、４日目、６日目
７日目：休息
【００８２】
２週目
等尺性運動
１０秒間の活動×５回繰り返す（４００ｇ）、回復時間５秒間
２０秒間の活動×８回繰り返す（６００ｇ）、回復時間１０秒間
・単一領域の取り組み：
１日目：額
３日目：頬骨
５日目：口及び首
・顔全体の取り組み：２日目、４日目、６日目
７日目：休息
【００８３】
３週目
等尺性運動
２０回繰り返す（４００ｇ）
３×２０回繰り返す（６００ｇ）、回復時間１０秒間
・単一領域の取り組み：
１日目：額
３日目：頬骨
５日目：唇及び首
エクセントリック運動（できるだけ早く）
２０回繰り返す（４００ｇ）
４０回繰り返す（６００ｇ）
・顔全体の取り組み：２日目、４日目、６日目
７日目：休息
【００８４】
４週目
重り上昇運動
２００ｇで２５回繰り返す
４００ｇで２０回繰り返す
６００ｇで１５回繰り返す
８００ｇで１０回繰り返す
重り変化回復時間（５秒間）
・単一領域の取り組み：
１日目：額
３日目：頬骨
５日目：口及び首
・顔全体の取り組み：２日目、４日目、６日目
７日目：休息
【００８５】
２ヶ月目
準備運動６００ｇ、取り組み８００ｇ
【００８６】
１週目
等張性運動
準備運動を２０回繰り返す（６００ｇ）
３×２０回繰り返す（６００ｇ）、回復時間１０秒間
・単一領域の取り組み：
１日目：額
３日目：頬骨
５日目：唇及び首
・顔全体の取り組み：２日目、４日目、６日目
７日目：休息
【００８７】
２週目
等尺性運動
１０秒間の活動×５回繰り返す（６００ｇ）、回復時間５秒間
２０秒間の活動×８回繰り返す（８００ｇ）、回復時間１０秒間
・単一領域の取り組み：
１日目：額
３日目：頬骨
５日目：口及び首
・顔全体の取り組み：２日目、４日目、６日目
７日目：休息
【００８８】
３週目
パルス運動
２０回繰り返す（６００ｇ）
３×２０回繰り返す（８００ｇ）、回復時間１０秒間
・単一領域の取り組み：
１日目：額
３日目：頬骨
５日目：口及び首
パルス運動
２０回繰り返す（６００ｇ）
４０回繰り返す（８００ｇ）
・顔全体の取り組み：２日目、４日目、６日目
７日目：休息
【００８９】
４週目
パルス運動
２０回繰り返す（６００ｇ）
４０回繰り返す（８００ｇ）
・単一領域の取り組み：
１日目：額
３日目：頬骨
５日目：口及び首
運動及びインターバル
２０秒間の活動（６００ｇ）
２０秒間の活動×５セット（８００ｇ）、回復時間５秒間
・顔全体の取り組み：２日目、４日目、６日目
７日目：休息
【００９０】
３ヶ月目
準備運動８００ｇ、取り組み１ｋｇ
【００９１】
１週目
等張性運動
準備運動を２０回繰り返す（８００ｇ）
３セット×２０回繰り返す（１ｋｇ）、回復時間１０秒間
・単一領域の取り組み：
１日目：額
３日目：頬骨
５日目：唇及び首
・顔全体の取り組み：２日目、４日目、６日目
７日目：休息
【００９２】
２週目
等尺性運動
１０秒間の活動×５回繰り返す（８００ｇ）、回復時間５秒間
２０秒間の活動×８回繰り返す（１ｋｇ）、回復時間１０秒間
・単一領域の取り組み：
１日目：額
３日目：頬骨
５日目：唇及び首
等尺性運動
５秒間の活動×５回繰り返す（８００ｋｇ）、回復時間５秒間
２０秒間の活動×４回繰り返す（１ｋｇ）、回復時間１０秒間
・顔全体の取り組み：２日目、４日目、６日目
７日目：休息
【００９３】
３週目
重り上昇
４００ｇで２５回繰り返す
６００ｇで２０回繰り返す
８００ｇで１５回繰り返す
１ｋｇで１０回繰り返す
重り変化回復時間
・単一領域の取り組み：
１日目：額
３日目：頬骨
５日目：口及び首
重り上昇
１０００ｇで１５回繰り返す
８００ｇで１５回繰り返す
６００ｇで１５回繰り返す
重り変化回復時間
・顔全体の取り組み：２日目、４日目、６日目
７日目：休息
【００９４】
４週目
６０秒間の連続した動きで顔全体の取り組み、回復時間２０秒間
１、２、３、４、５、６日目
７日目：休息
【００９５】
４ヶ月目
準備運動４００ｇ、取り組み６００ｇ
【００９６】
１週目
等張性運動
準備運動を２０回繰り返す（４００ｇ）
３セット×２０回繰り返す（６００ｇ）、回復時間１０秒間
・単一領域の取り組み：
１日目：額
３日目：頬骨
５日目：唇及び首
等張性運動
準備運動を２０回繰り返す（４００ｇ）
４０回繰り返す（６００ｇ）
・顔全体の取り組み：２日目、４日目、６日目
７日目：休息
【００９７】
２週目
・単一領域の取り組み：
１日目：額
２日目：頬骨
３日目：口及び首
等尺性運動
１０秒間の活動×５回繰り返す（４００ｇ）、回復時間５秒間
２０秒間の活動×８回繰り返す（６００ｇ）、回復時間１０秒間
等尺性運動
５秒間の活動×５回繰り返す（４００ｋｇ）、回復時間５秒間
２０秒間の活動×４回繰り返す（６００ｇ）、回復時間１０秒間
・顔全体の取り組み：２日目、４日目、６日目
７日目：休息
【００９８】
３週目
・単一領域の取り組み：
最大限の努力
１日目：額（上向きの動き、目を広く開ける）
２日目：額（下向きの動き、額にしわを寄せる）
３日目：頬
４日目：口（キス）
５日目：口（微笑み）
６日目：首
７日目：休息
【００９９】
４週目
顔全体の取り組み
等張性運動
１日目：２００ｇで３０回繰り返す
２日目：４００ｇで３０回繰り返す
３日目：６００ｇで３０回繰り返す
４日目：８００ｇで３０回繰り返す
５日目：１０００ｇで３０回繰り返す
６日目：６００ｇで３０回繰り返す
７日目：休息
【０１００】
したがって本発明によるツール及び方法を用いることにより、人工製品の投与及び／又は外科手術を行う必要なく、関節の努力なしに、長期にわたって効果が持続する、しわ、袋の形成、眼瞼弛緩症等を防止及び／又は低減させるような顔の筋肉の緊張効果を得ることが可能であることは明らかである。
【０１０１】
加えてツールは、顔又は首の様々な意図する区域に適合することができる自由重り系を形成し、小さい寸法を有し、製造及び組み立てが容易であり、専門家でない使用者を含む任意の使用者によって、及び美容センター、ジム等のような構造物内で自律的に使用しやすい。
【０１０２】
本発明の多数の実施形態及び多数の好ましい実施例に関連して説明したが、本特許の保護範囲は以下の特許請求の範囲によってのみ決定されることが理解される。
【図１】
2021522044.tif 000003
【図２】
2021522044.tif 000004
【図３】
2021522044.tif 000005
【図４】
2021522044.tif 000006
【図５】
2021522044.tif 000007
【図６】
2021522044.tif 000008
【図７】
2021522044.tif 000009
【図８】
2021522044.tif 000010
【図９】
2021522044.tif 000011
【図１０】
2021522044.tif 000012
【図１１】
2021522044.tif 000013
【図１２】
2021522044.tif 000014
【図１３】
2021522044.tif 000015
【図１４】
2021522044.tif 000016
【図１５】
2021522044.tif 000017
【図１６】
2021522044.tif 000018
【図１７】
2021522044.tif 000019
【図１８】
2021522044.tif 000020
【図１９】
2021522044.tif 000021
【図２０】
2021522044.tif 000022
【図２１】
2021522044.tif 000023
【図２２】
2021522044.tif 000024
【図２３】
2021522044.tif 000025
【図２４】
2021522044.tif 000026
【図２５】
2021522044.tif 000027
【図２６】
2021522044.tif 000028
【図２７】
2021522044.tif 000029
【図２８】
2021522044.tif 000030
【図２９】
2021522044.tif 000031
【図３０】
2021522044.tif 000032
【図３１】
2021522044.tif 000033
【図３２】
2021522044.tif 000034
【図３３】
2021522044.tif 000035
【国際調査報告】
2021522044.tif 000036
2021522044.tif 000037
2021522044.tif 000038
2021522044.tif 000039